【手続補正書】
【提出日】平成16年10月26日(2004.10.26)
【手続補正１】
【補正対象書類名】明細書
【補正対象項目名】特許請求の範囲
【補正方法】変更
【補正の内容】
【特許請求の範囲】
【請求項１】  発泡体補給源から２成分発泡体を選択的に供給する供給装置であって、
当該装置は本体部分と該本体部分に運動可能に取付けられたトリガとを含み、
上記本体部分は、第１および第２発泡体成分の補給源に取付けられた一対の発泡体成分補給ホースに夫々接続された一対の取入接続部を有し、
上記各取入接続部は上記供給器本体部分に形成された各取入通路と夫々連通し、
上記本体部分は、上記本体部分取入通路と当該供給装置に配設される混合ノズルとの間に介設されるべく該本体部分の着座部内に回転可能に取付けられたスプール弁を有し、
上記スプール弁は自身に形成された一対の流路を有すると共に該スプール弁通路を上記本体部分取入通路と整列すべく操作者により操作され得る、供給装置において、
上記本体部分取入通路は上記スプール弁流路の断面とは異なる断面を有することから成る供給装置。
【請求項２】  前記スプール弁通路は断面が円形であり且つ前記本体部分取入通路は断面が略々三角形である、請求項１記載の供給装置。
【請求項３】  前記スプール弁通路の各々は概略的に円形断面を有し、且つ、前記本体部分取入通路の各々は複数の内側角隅部が形成された多角形断面を有する、請求項１記載の供給装置。
【請求項４】  前記供給器本体部分取入通路の断面は３個の内側角隅部を含む、請求項３記載の供給装置。
【請求項５】  前記供給器本体部分取入通路の断面は少なくとも４個の内側角隅部を含む、請求項３記載の供給装置。
【請求項６】  前記スプール弁流路は断面が概略的に円形であり且つ前記供給器本体部分取入通路は断面が概略的に台形である、請求項１記載の供給装置。
【請求項７】  前記供給器本体部分取入通路の各々は、該通路の面積が頂点部分から基部まで増大する如く頂点部分に対向して配設された基部を有する、請求項６記載の供給装置。
【請求項８】  前記供給器本体部分取入通路の各々は１．９４平方ミリメートル（約０．００３平方インチ）の面積を有する、請求項１記載の供給装置。
【請求項９】  前記供給器本体取入通路の各々は該取入通路の初期幅を画成する狭幅前縁部を有し、上記初期幅は上記通路の対応長さに沿い上記通路の基底線まで増大する、請求項１記載の供給装置。
【請求項１０】  前記スプール弁は金属で形成され且つ前記供給器本体部分はプラスチックで形成される、請求項１記載の供給装置。
【請求項１１】  前記供給器本体部分は射出成形される、請求項１０記載の供給装置。
【請求項１２】  前記スプール弁通路は断面が概略的に円形であり且つ前記本体部分取入通路は概略的に矩形である、請求項１記載の供給装置。
【請求項１３】  前記スプール弁通路は断面が概略的に円形であり且つ前記本体部分取入通路は広幅本体断面へと増大する狭幅本体断面を備えた角笛状形態を有する、請求項１記載の供給装置。
【請求項１４】  ２つの発泡体成分の流れを反応させて形成された発泡体の流れを供給する発泡体供給ガンであって、該ガンは、本体部分と、該本体部分から垂下するハンドルと、当該ガンを起動するトリガと、形成された上記発泡体を当該ガンから供給するノズルとを備え、
上記本体部分は、該本体部分を貫通して横方向に延在する凹所と、該凹所内に配設されて回転し得るスプール弁とを含み、上記スプール弁は該スプール弁を貫通延在する一対の流路を有し、上記スプール弁は上記トリガが運動すると上記本体部分凹所内において該スプール弁が回転される如く上記トリガと作用的に係合し、
上記本体部分は当該ガンの長手軸心に対して概略的に平行に該本体部分を貫通して長手方向に延在すべく該本体部分内に形成された一対の取入通路を更に含むことから、上記トリガは選択的に運動されることで上記スプール弁を回転し且つ上記スプール弁流路を上記ガン本体部分取入通路と連通することにより、上記スプール弁を介して上記ノズルへと発泡体成分が流れるための通路を形成し、
上記スプール弁流路および上記ガン本体部分取入通路は非円形断面を有する、
発泡体供給ガン。
【請求項１５】  前記スプール弁流路および前記ガン本体部分取入通路は三角形断面を有する、請求項１４記載の発泡体供給ガン。
【請求項１６】  前記ガン本体部分取入通路は三角形断面を有する、請求項１４記載の発泡体供給ガン。
【請求項１７】  前記ガン本体部分取入通路は多角形断面を有し、該取入通路断面の各々は少なくとも２個の内側角隅部を有する、請求項１４記載の発泡体供給ガン。
【請求項１８】  前記ガン本体部分取入通路は台形断面を有する、請求項１４記載の発泡体供給ガン。
【請求項１９】  前記ガン本体部分取入通路は相互から離間されて画成された前縁部および基底線を有し、上記取入通路の上記基底線は該取入通路の上記前縁部の幅よりも大きな幅を有する、請求項１４記載の発泡体供給ガン。
【請求項２０】  前記スプール弁は金属弁であり且つガン本体部分はプラスチックで形成される、請求項１４記載の発泡体供給ガン。
【請求項２１】  前記ガン本体部分は射出成形され且つ前記取入通路は上記成形中に該ガン本体部分内に形成される、請求項１４記載の発泡体供給ガン。
【請求項２２】  ユーザにより把持されるべく当該本体部分から延在するハンドルと、反応性発泡体成分の２つの補給源に夫々接続された一対の取入接続部であって該取入接続部自身を長手方向に貫通延在する中空ボアを有する一対の取入接続部と、弁部材を受容すべく当該本体部分内に形成された凹所と、を有するガン形状の本体部分であって；当該本体部分は上記取入接続部ボアと整列されて該本体部分内に形成された一対の取入通路であって上記取入接続部ボアと上記凹所との間において該本体部分を長手方向に貫通延在する一対の取入通路を有し、上記取入通路は上記凹所と連通し、当該本体部分は該本体部分内に形成された一対の出射通路であって上記取入通路から離間され且つ該取入通路と整列された一対の出射通路を更に含み、上記出射通路は上記凹所に対しても連通すると共に供給ノズルと係合する端部にて終端する；ガン形状の本体部分と、
中実本体部分と、該中実本体部分を貫通延在すべく該中実本体部分内に形成された２本の流路とを有すべく上記凹所内に配設され且つ該凹所内で回転可能なスプール弁と、
上記スプール弁に作用的に接続されると共に上記本体部分から下方に延在し且つ該本体部分から離間されたトリガであって；当該供給器のユーザが該トリガを上記ハンドルに向けて握り込んだときに上記スプール弁通路は上記取入通路および出射通路と連通されることで上記供給器本体および上記スプール弁を通る２本の経路が画成されることから発泡体成分は上記取入接続部から上記ノズルへと進行し得る；トリガとを備え、
上記スプール弁通路は円形断面を有し且つ上記取入通路は非円形断面を有する、２つの反応性発泡体成分の流れを相互に混合して形成された発泡体を供給する発泡体供給装置。
【請求項２３】  前記取入通路は三角形断面を有する、請求項２２記載の供給装置。
【請求項２４】  前記取入通路は台形断面を有する、請求項２２記載の供給装置。
【請求項２５】  前記取入通路は少なくとも３個の内側角隅部を有する多角形状の断面を有する、請求項２２記載の供給装置。
【請求項２６】  前記取入通路は前記トリガによる前記スプール弁の回転時に前記スプール弁通路と最初に交差する前縁部を有し、上記取入通路は上記前縁部から該取入通路の基底線まで増大する可変幅を有する、請求項２２記載の供給装置。
【請求項２７】  前記取入通路は、三角形断面、矩形断面、台形断面、角笛状断面から成る群から選択された断面を有する、請求項２２記載の供給装置。
【請求項２８】  前記各取入通路は共通基準線に沿い水平に整列される、請求項２２記載の供給装置。
【請求項２９】  前記各取入通路は共通基準線に関してオフセットされる、請求項２２記載の供給装置。
【請求項３０】  前記各本体部分取入通路は共通基準線に沿い整列される、請求項１記載の供給装置。
【請求項３１】  前記各本体部分取入通路は共通基準線に関してオフセットされる、請求項１記載の供給装置。
【手続補正２】
【補正対象書類名】明細書
【補正対象項目名】００２１
【補正方法】変更
【補正の内容】
【００２１】
供給器２０は、自身から垂下されたハンドル２２を備える本体部分２１を有する。本体部分２１における各凹所内には、ＡおよびＢ発泡体成分の補給源を含む別体の補給容器２５に夫々通ずる２本のホース２４に対する接続部を提供すべく一対の取入継手２３が保持される。供給器本体部分２１の前端２６は、交換可能供給ノズル２７を保持する凹所を有する。供給器本体部分２１に対しては起動用トリガ２８が運動可能に取付けられ、該トリガはハンドル２２に向けて移動可能である。ハンドル２２に向けてトリガ２８を移動すると、供給器本体部分２１のキャビティ内で回転すべく取付けられたスプール弁２９内に形成された（不図示の）一対の通路は、供給器本体部分２１に形成された同様の通路であって各取入継手２３へと通ずる通路と夫々整列される。先行技術においてスプール弁２９および供給器本体部分２１の両者における各通路の断面は円形である。スプール弁２９がトリガ２８の付勢により図１における矢印Ｓにより示された反時計方向に回転されたとき、スプール弁の通路の頂部は先ず供給器本体部分２１における円形通路の下側部分と交差して楕円形断面を形成する。この楕円のサイズは、上記の２つの円形通路が相互に完全に整列されて相互に合致係合するまで、大きくなる。
【手続補正３】
【補正対象書類名】明細書
【補正対象項目名】００２４
【補正方法】変更
【補正の内容】
【００２４】
次に図２を参照すると、本発明の原理に従い構築された供給装置２０は、断面で示される。この実施例の供給装置２０は、ユーザの手により容易に把持され得る該供給装置の箇所を提供すべく当該本体部分２１から垂下されたハンドル２２を備えた本体部分２１を有するガンの形態を取り得る。本体部分２１に対してはトリガ部材２８が回転可能に取付けられと共に、該トリガ部材はハンドル２２に対して円弧状に接近かつ離間すべく移動し得る。この移動は往復移動として特徴付けられ得る、と言うのも、ユーザは片手でハンドル２２およびトリガ２８の両者を把持すると共にトリガ２８を握り込むことで該トリガをハンドル２２に向けて円弧状に変位させ得るからである。ハンドル２２とトリガ２８との間にはトーション・スプリング３０が配備かつ配設されて、トリガ把持移動に対する抵抗手段を提供するだけでなく、図１および図２に示された最外側位置へとトリガ２８を戻す戻し力を付与する付勢機構も提供し、該スプリング３０はハンドル２２およびトリガ２８の内部の各着座部３１内に保持される。
【手続補正４】
【補正対象書類名】明細書
【補正対象項目名】００３２
【補正方法】変更
【補正の内容】
【００３２】
ユーザが低流量条件にて発泡体の小寸滴状体の滴下を望む場合、ユーザは段増的様式にてトリガ２８を握り込むことから２つの流路３８、５０は図７Ａに示された如くまさに初期整列接触を行う。スプール弁４０は反時計方向に回転することから、スプール弁流路３８の頂縁部”Ｃ”は本体部分取入通路５０の下縁部”Ｄ”の近傍となり該下縁部と連通する。斯かる初期連通は、図７Ａに断面で示されると共に図８において７Ａにより重ね合わせで示される。図５および図８においては、三角形断面によれば取入通路５０の面積は図５および図７Ａ乃至図７Ｃにおいて矢印Ｒにより示されたスプール弁４０の回転方向において増加することが理解され得る。
【手続補正５】
【補正対象書類名】明細書
【補正対象項目名】００３３
【補正方法】変更
【補正の内容】
【００３３】
スプール弁流路３８の断面とは異なる断面を取入通路５０に対して用いると、発泡体成分が通過すべく利用可能な交差領域にて利用可能な面積を相当に減少することで、低流量条件における供給器２０の発泡体計量機能が改善される。図５、図８Ａおよび図８Ｂに示された三角形断面が用いられた場合、初期流量は上記の２つの通路、特に上記三角形の尖端の交差領域により制御される。上記トリガが更に押圧されてスプール弁４０が回転することでスプール弁流路３８が本体部分取入通路５０と一致もしくは整列されるにつれて、上記スプール弁流路の円形の面積と交差する上記三角形の取入通路の面積は増大することで流量が増大される。上記トリガを更に押圧する結果、スプール弁流路３８の円形断面（もしくはオリフィス）と本体部分取入通路５０の完全な三角形断面とは完全に整合する。
【手続補正６】
【補正対象書類名】明細書
【補正対象項目名】００３７
【補正方法】変更
【補正の内容】
【００３７】
図１２は、供給器本体部分２１に形成されると共に本体部分のスプール弁受容凹所４１へと開口する台形もしくは”パイ形状”のオリフィス５０’に対するスプール弁流路の円形オリフィスの連続的交差領域を示している。オリフィス５０’は、該オリフィスの頂点として作用する狭幅前縁部１００を有する。この前縁部１００は、該オリフィス前縁部１００から該前縁部１００の幅よりも大きな幅を有するオリフィス基底線１０２へと移動する上記スプール弁の円形流路３８により交差されるオリフィス５０’の初期幅を画成する。上記スプール弁およびその対応流路３８が上記凹所内で回転されるにつれ、上記オリフィスの２つの側壁１０１は前縁部１００から基底線１０２へと所定角度で且つ外側角度にて延在する。上記スプール弁通路は段増的に移動され、取入本体部分オリフィス５０’と交差される。図１２は、スプール弁通路と取入通路との交差領域の面積における段階的増加を示している。適切な結果は、約２．１８ｍｍ（０．０８６インチ）の距離により分離された約０．２５ｍｍ（０．０１０インチ）の前縁部および約１．６０ｍｍ（０．０６３インチ）の基底線を有するオリフィスにより得られた。斯かる寸法は、取入通路の１．９４平方ミリメートル（約０．００３平方インチ）の全体面積を与える。
【手続補正７】
【補正対象書類名】明細書
【補正対象項目名】００３８
【補正方法】変更
【補正の内容】
【００３８】
上記オリフィスの狭幅前縁部によれば低流量条件にて良好な計量機能が与えられる一方、上記オリフィスの広幅基底線によればスプール弁の流路の円形オリフィスが取入通路５０’に完全に重なったときに最大の流量および出力が与えられる。
【手続補正８】
【補正対象書類名】明細書
【補正対象項目名】００４０
【補正方法】変更
【補正の内容】
【００４０】
図１３乃至図１６は、異なる断面流路と、他方の通路に対して一方の通路を段増的に進行させて得られる増加断面とを概略的に示している。図１３において各通路は、”Ａ”における約０．０６４平方ミリメートル（０．０００１平方インチ）から”Ｄ”における約２．０６平方ミリメートル（０．００３２平方インチ）までの面積に帰着する円形および三角形である。